(57)【要約】【課題】待機モードから画像形成処理に移行する際に定着装置において発生するオーバーシュートを防止することができる画像形成装置を提供する。【解決手段】ＣＰＵ１２は、待機モード中に温度センサ１０により検出される定着熱ローラ２１０の温度が待機温度以下に下がった場合にメインヒータ２２０及びサブヒータ２２１をオンし、同時にメモリ１３にヒータ点灯フラグをセットする。待機モードから画像形成処理に移行した際に、ＣＰＵ１２はメモリ１３にヒータ点灯フラグがセットされているか否かを確認し、ヒータ点灯フラグがセットされていない場合、メインヒータ２２０をオンし、温度センサ１０により検出される前記定着熱ローラ２１０の温度が定着温度に上昇するまで、メインヒータ２２０をオンした状態及びサブヒータ２２１をオフした状態で維持する。【選択図】  図３
2004302264.tif 000002
【特許請求の範囲】
【請求項１】
複数のヒータが内蔵される定着熱ローラ及びトナー像が形成された印刷用紙を前記定着熱ローラに圧接するための定着圧ローラを有する定着手段と、
前記定着熱ローラの表面温度を検出する検出手段と、
画像形成処理中は前記検出手段により検出される前記定着熱ローラの温度を定着処理に適正な定着温度で維持し、画像形成処理が終了して待機モードに移行すると、前記検出手段により検出される前記定着熱ローラの温度を定着温度より低い待機温度で維持するように、前記複数のヒータのオン、オフの切り替え制御を行うヒータ制御手段とを備え、
前記ヒータ制御手段は、
画像形成処理終了後、前記検出手段により検出される前記定着熱ローラの温度が待機温度に到達する前に次の画像形成処理に移行した際に前記複数のヒータにおける一部のヒータをオンすることを特徴とする画像形成装置。
【請求項２】
請求項１に記載された画像形成装置において、
前記ヒータ制御手段により前記複数のヒータがオンされた場合、ヒータ点灯フラグをセットするフラグセット手段をさらに備え、
前記ヒータ制御手段は、
待機モードから画像形成処理に移行した際に前記フラグセット手段により前記ヒータ点灯フラグがセットされていない場合、前記複数のヒータにおける一部のヒータをオンし、前記検出手段により検出される前記定着熱ローラの温度が定着温度になるまで、前記複数のヒータにおける一部のヒータをオンした状態で維持し、それ以外のヒータをオフした状態で維持することを特徴とする画像形成装置。
【請求項３】
請求項２に記載された画像形成装置において、
前記複数のヒータは、前記定着熱ローラの中央部分を昇温させるためのメインヒータ及び前記定着熱ローラの両端部分を昇温させるためのサブヒータからなり、
前記ヒータ制御手段は、
待機モードから画像形成処理に移行した際に前記フラグセット手段により前記ヒータ点灯フラグがセットされていない場合にメインヒータをオンし、前記検出手段により検出される前記定着熱ローラの表面温度が定着温度になるまで、前記メインヒータをオンした状態で維持し、前記サブヒータをオフした状態で維持することを特徴とする画像形成装置。
【請求項４】
請求項２に記載された画像形成装置において、
前記複数のヒータは、前記定着熱ローラの中央部分を昇温させるためのメインヒータ及び前記定着熱ローラの両端部分を昇温させるためのサブヒータからなり、
前記ヒータ制御手段は、
待機モードから画像形成処理に移行した際に前記フラグセット手段により前記ヒータ点灯フラグがセットされていない場合にサブヒータをオンし、前記検出手段により検出される前記定着熱ローラの表面温度が定着温度になるまで、前記サブヒータをオンした状態で維持し、前記メインヒータをオフした状態で維持することを特徴とする画像形成装置。
【請求項５】
請求項１乃至請求項４のいずれかに記載される画像形成装置において、
前記ヒータ制御手段は、
待機モードから画像形成処理に移行した際に前記フラグセット手段により前記ヒータ点灯フラグがセットされている場合、前記複数のヒータ全てをオンし、前記検出手段により検出される前記定着熱ローラの温度が定着温度になるまで、前記複数のヒータをオンした状態で維持することを特徴とする画像形成装置。
【発明の詳細な説明】
【０００１】
【発明の属する技術分野】
本発明は、印刷用紙に形成されたトナー像を加熱溶融して定着させる定着装置を備えた画像形成装置に関する。
【０００２】
【従来の技術】
従来の画像形成装置に設けられた定着装置は、ヒータで加熱される定着熱ローラとこれと対をなす定着圧ローラとを備え、定着熱ローラ及び定着圧ローラ間に印刷用紙を通過させることにより印刷用紙に形成されたトナー像を定着させる。この定着熱ローラの温度制御方法として、画像形成処理開始時には、ヒータを点灯させ、定着熱ローラの温度がトナー像を印刷用紙に定着させるために適正な第１の設定温度（以下、「定着温度」という）になるまで加熱を行い、画像形成処理中は定着熱ローラの温度が定着温度で維持されるよう制御する。画像形成処理が終了し待機モードに移行した場合は、ヒータへの電力供給をオフして定着熱ローラの温度を定着温度より低い第２の設定温度（以下、「待機温度」という）に下げる（例えば、特許文献１参照）。
【０００３】
【特許文献１】
特開平１１−０６５３５２号公報
【０００４】
【発明が解決しようとする課題】
しかしながら、従来の画像形成装置では、画像形成処理から次の画像形成処理までの期間が短期間であり、定着熱ローラの温度が待機温度まで下がっていない状態で次の画像形成処理が開始される場合は、ヒータをオンすることにより定着熱ローラの温度が定着温度以上に急上昇するオーバーシュートが発生するという問題点があった。
【０００５】
本発明は、上記問題点を解決するためになされたものであり、待機モードから画像形成処理に移行する際に定着装置において発生するオーバーシュートを防止することができる画像形成装置を提供することが目的である。
【０００６】
【課題を解決するための手段】
本発明の請求項１に係る画像形成装置は、複数のヒータが内蔵される定着熱ローラ及びトナー像が形成された印刷用紙を前記定着熱ローラに圧接するための定着圧ローラを有する定着手段と、前記定着熱ローラの表面温度を検出する検出手段と、画像形成処理中は前記検出手段により検出される前記定着熱ローラの温度を定着処理に適正な定着温度で維持し、画像形成処理が終了して待機モードに移行すると、前記検出手段により検出される前記定着熱ローラの温度を定着温度より低い待機温度で維持するように、前記複数のヒータのオン、オフの切り替え制御を行うヒータ制御手段とを備え、前記ヒータ制御手段は、画像形成処理終了後、前記検出手段により検出される前記定着熱ローラの温度が待機温度に到達する前に次の画像形成処理に移行した際に前記複数のヒータにおける一部のヒータをオンすることを特徴とする。
【０００７】
この構成によれば、前記画像形成処理が終了し次の画像形成処理が開始するまでの期間が短期間であり、前記定着熱ローラが待機温度まで下がっていない状態で次の画像形成処理が開始した場合は、前記複数のヒータにおける一部のヒータをオンするので、前記定着熱ローラの温度を定着温度まで徐々に上昇させることができ、オーバーシュートを防ぐことができる。
【０００８】
本発明の請求項２に係る画像形成装置は、請求項１に記載された画像形成装置において、前記ヒータ制御手段により前記複数のヒータがオンされた場合、ヒータ点灯フラグをセットするフラグセット手段をさらに備え、前記ヒータ制御手段は、待機モードから画像形成処理に移行した際に前記フラグセット手段により前記ヒータ点灯フラグがセットされていない場合、前記複数のヒータにおける一部のヒータをオンし、前記検出手段により検出される前記定着熱ローラの温度が定着温度になるまで、前記複数のヒータにおける一部のヒータをオンした状態で維持し、それ以外のヒータをオフした状態で維持することを特徴とする。
【０００９】
この構成によれば、前記画像形成処理が終了し次の画像形成処理が開始するまでの期間が短期間であり、前記定着熱ローラが待機温度まで下がっていない状態で次の画像形成処理が開始した場合は、前記複数のヒータにおける一部のヒータをオンし、それ以外のヒータをオフした状態で維持するので、前記定着熱ローラの温度を定着温度まで徐々に上昇させることができ、オーバーシュートを防ぐことができる。
【００１０】
本発明の請求項３に係る画像形成装置は、請求項２に記載された画像形成装置において、前記複数のヒータは、前記定着熱ローラの中央部分を昇温させるためのメインヒータ及び前記定着熱ローラの両端部分を昇温させるためのサブヒータからなり、前記ヒータ制御手段は、待機モードから画像形成処理に移行した際に前記フラグセット手段により前記ヒータ点灯フラグがセットされていない場合にメインヒータをオンし、前記検出手段により検出される前記定着熱ローラの表面温度が定着温度になるまで、前記メインヒータをオンした状態で維持し、前記サブヒータをオフした状態で維持することを特徴とする。
【００１１】
この構成によれば、前記画像形成処理が終了し次の画像形成処理が開始するまでの期間が短期間であり、前記定着熱ローラが待機温度まで下がっていない状態で次の画像形成処理が開始した場合は、前記メインヒータをオンし、前記サブヒータをオフした状態で維持するので、前記定着熱ローラの温度を定着温度まで徐々に上昇させることができ、オーバーシュートを防ぐことができる。
【００１２】
本発明の請求項４に係る画像形成装置は、請求項２に記載された画像形成装置において、前記複数のヒータは、前記定着熱ローラの中央部分を昇温させるためのメインヒータ及び前記定着熱ローラの両端部分を昇温させるためのサブヒータからなり、前記ヒータ制御手段は、待機モードから画像形成処理に移行した際に前記フラグセット手段により前記ヒータ点灯フラグがセットされていない場合にサブヒータをオンし、前記検出手段により検出される前記定着熱ローラの表面温度が定着温度になるまで、前記サブヒータをオンした状態で維持し、前記メインヒータをオフした状態で維持することを特徴とする。
【００１３】
この構成によれば、前記画像形成処理が終了し次の画像形成処理が開始するまでの期間が短期間であり、前記定着熱ローラが待機温度まで下がっていない状態で次の画像形成処理が開始した場合は、前記サブヒータをオンし、前記メインヒータをオフした状態で維持するので、前記定着熱ローラの温度を定着温度まで徐々に上昇させることができ、オーバーシュートを防ぐことができる。
【００１４】
本発明の請求項５に係る画像形成装置は、請求項１乃至請求項４のいずれかに記載される画像形成装置において、前記ヒータ制御手段は、待機モードから画像形成処理に移行した際に前記フラグセット手段により前記ヒータ点灯フラグがセットされている場合、前記複数のヒータ全てをオンし、前記検出手段により検出される前記定着熱ローラの温度が定着温度になるまで、前記複数のヒータをオンした状態で維持することを特徴とする。
【００１５】
この構成によれば、前記待機モードにおいて前記定着熱ローラが待機温度まで下がった後で次の画像形成処理が開始した場合は、前記複数のヒータ全てをオンすることにより短期間で定着熱ローラの温度を定着温度まで上昇させることができる。
【００１６】
【発明の実施の形態】
図１は、本発明の一実施の形態によるデジタル複合機の機械的構成を主に示す側面概略図である。
【００１７】
デジタル複合機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００１８】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷枚数等を入力するために用いられる。
【００１９】
原稿給送部６００は、原稿収納部６０１、原稿排出部６０２、給紙ローラ６０３及び原稿搬送部６０４等を備え、原稿読み取り部５００は、スキャナ５０１等を備える。給紙ローラ６０３は、原稿収納部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００２０】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２５０等を備える。
【００２１】
感光体ドラム２０４は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０４に静電潜像を形成する。現像装置２０７は、黒色の現像剤を感光体ドラム２０４に供給してトナー画像を形成する。
【００２２】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させる。定着装置２１１は、定着熱ローラ２１０及び定着圧ローラ２０８を備え、トナー像が転写された印刷用紙を加熱及び加圧することによってトナー像を印刷用紙に定着させる。その後、印刷用紙は、本体部２００の排出口２０９から用紙後処理部３００に搬入される。また、印刷用紙は、必要に応じて排出トレイ２５０へも排出される。
【００２３】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２４】
図２は図１に示すデジタル複合機１における定着装置２１１の構成を示す斜視図である。
【００２５】
定着装置２１１は、シリコンゴム等からなる弾性体を表面に有する定着圧ローラ２０８と、メインヒータ２２０及びサブヒータ２２１が内蔵される定着熱ローラ２１０を備える。メインヒータ２２０及びサブヒータ２２１にはハロゲンランプ等が用いられ、メインヒータ２２０は定着熱ローラ２１０の中央部分の温度を上昇させ、サブヒータ２２１は定着熱ローラ２１０の両端部分の温度を上昇させるものであり、例えばＡ４サイズの印刷用紙に対し定着処理が行われる場合はメインヒータ２２０がオンされ、Ａ３サイズの印刷用紙に対して定着処理が行われる場合はメインヒータ２２０及びサブヒータ２２１の両方がオンされる。
【００２６】
図３は、図２に示す定着熱ローラ２１０の温度制御を行う制御部の構成を示すブロック図である。
【００２７】
温度センサ１０は、定着熱ローラ２１０に近接して設けられ、定着熱ローラ２１０の表面温度を検出する。制御部１１は、ＣＰＵ１２、メモリ１３、クロック生成部１４を備える。メモリ１３は、画像形成処理中に定着熱ローラ２１０によりトナー像を印刷用紙に定着させるために適切な温度として設定される定着温度（例えば、１６０度）を特定するための定着温度情報、画像形成処理が行われていない待機モード時の定着熱ローラ２１０の目標温度として設定される待機温度（例えば、１５０度）を特定するための待機温度情報が記録されている。
【００２８】
ＣＰＵ１２は、クロック生成部１４により生成されるクロックを基準に動作する。ＣＰＵ１２は、メモリ１３に記録される定着温度情報及び待機温度情報を参照し、温度センサ１０により検出された定着熱ローラ２１０の温度が定着温度または待機温度になるようメインヒータ２２０及びサブヒータ２２１のオン・オフの切り替え制御を行う。具体的には、ユーザが操作部４００を用いて画像形成処理の開始操作を行うと、ＣＰＵ１２は操作部４００から画像形成開始命令を受け付け、メインヒータ２２０及びサブヒータ２２１をオンし、定着熱ローラ２１０の表面温度を定着温度に上昇させる。画像形成処理が終了した時点で、ＣＰＵ１２は、定着熱ローラ２１０の表面温度を待機温度に下降させるためにメインヒータ２２０及びサブヒータ２２１をオフする。そして、定着熱ローラ２１０の温度が待機温度以下になった時点で、ＣＰＵ１２はメインヒータ２２０及びサブヒータ２２１をオンし、同時に、メモリ１３にメインヒータ２２０及びサブヒータ２２１がオン状態であることを示すヒータ点灯フラグをセットする。
【００２９】
図４及び図５は、図３に示す制御部１１による定着熱ローラ２１０の温度制御処理を説明するためのフローチャートである。
【００３０】
ステップＳ１において、ＣＰＵ１２は画像形成処理が終了したか否かを判断し、画像形成処理が終了したと判断した場合は待機モードに移行し、ステップＳ２において、メインヒータ２２０及びサブヒータ２２１をオフし、ステップＳ３において、
メモリ１３に記録されるヒータ点灯フラグをクリアする。
【００３１】
ステップＳ４において、ＣＰＵ１２は、温度センサ１０により検出される定着熱ローラ２１０の表面温度をモニターし、定着熱ローラ２１０の表面温度とメモリ１３に記録される待機温度情報により特定される待機温度とを比較し、定着熱ローラ２１０の表面温度が待機温度以下であるか否かを判断する。ＣＰＵ１２は、定着熱ローラ２１０の表面温度が待機温度以下であると判断した場合は、ステップＳ５に進み、メインヒータ２２０及びサブヒータ２２１をオンし、メインヒータ２２０及びサブヒータ２２１のオン状態を一定期間維持し、定着熱ローラ２１０の温度を待機温度まで上昇させる。一方、ＣＰＵ１２は、定着熱ローラ２１０の表面温度が待機温度より大きいと判断した場合は、ステップＳ６に進み、メインヒータ２２０及びサブヒータ２２１をオフし、メインヒータ２２０及びサブヒータ２２１のオフ状態を一定期間維持し、定着熱ローラ２１０の温度を待機温度に下げる。
【００３２】
ステップＳ７において、ＣＰＵ１２は、メモリ１３においてヒータ点灯フラグがセットされているか否かを判定し、ヒータ点灯フラグがセットされている場合はステップＳ１０に進み、ヒータ点灯フラグがセットされていない場合はステップＳ８に進む。ステップＳ８において、ＣＰＵ１２は、メインヒータ２２０及びサブヒータ２２１がオン状態か否かを判別し、メインヒータ２２０及びサブヒータ２２１のオン状態を判別した時点で、ステップＳ９に進み、ヒータ点灯フラグをセットする。なお、ステップＳ５において、メインヒータ２２０及びサブヒータ２２１をオンすることにより定着熱ローラ２１０の温度は緩やかに上昇し急上昇することはないので、定着熱ローラ２１０の温度上昇中にステップＳ８でメインヒータ２２０及びサブヒータ２２１のオン状態を検出し、ステップＳ９によりヒータ点灯フラグをセットすることができる。
【００３３】
ステップＳ１０において、ＣＰＵ１２は、ユーザが操作部４００を用いて画像形成処理の開始操作を行うことにより操作部４００から画像形成開始命令が入力されたか否かを判断し、画像形成開始命令が入力されない場合は以前待機モード中であることを判断し、定着熱ローラ２１０の表面温度が待機温度に保たれるように、ステップＳ４、Ｓ５、Ｓ６によるメインヒータ２２０及びサブヒータ２２１のオン・オフ制御を繰り返す。
【００３４】
ＣＰＵ１２は、操作部４００から画像形成開始命令が入力された場合は待機モードが終了したと判断し、ステップＳ１１に進み、メモリ１３においてヒータ点灯フラグがセットされているか否かを判断し、ヒータ点灯フラグがセットされていると判断した場合は、ステップＳ１２に進み、メインヒータ２２０及びサブヒータ２２１をオンし、ヒータ点灯フラグがセットされていないと判断した場合はステップＳ１３に進み、メインヒータ２２０をオンする。なお、ここでは、メインヒータ２２０のみをオンするが、これには限定されずサブヒータ２２１のみをオンしてもよい。
【００３５】
次に、ステップＳ１４において、ＣＰＵ１２は、温度センサ１０により検出される定着熱ローラ２１０の表面温度が定着温度に達したか否かの判断を行い、前記定着熱ローラ２１０の表面温度が定着温度に達したと判断した場合、ステップＳ１５に進み、サブヒータ２２１をオンする。ここでは、ＣＰＵ１２は、定着熱ローラ２１０が定着温度に達した時に、サブヒータ２２１をオンしているが、例えばＡ４サイズの印刷用紙を印刷する際には、サブヒータ２２１をオンせずにメインヒータ２２０で定着熱ローラ２１０の温度制御を行うこともできる。
【００３６】
このように、ＣＰＵ１２は、画像形成処理の開始時点でメモリ１３においてヒータ点灯フラグがセットされているか否かを判断し、ヒータ点灯グラフがセットされていると判断した場合は、従来通りメインヒータ２２０及びサブヒータ２２１を同時にオンし、ヒータ点灯グラフがセットされていないと判断した場合は、メインヒータ２２０をオンし、定着熱ローラ２１０の温度が定着温度に上昇するまでメインヒータ２２０のオン状態及びサブヒータ２２１のオフ状態を維持する。これにより、画像形成処理が終了し次の画像形成処理が開始するまでの期間が短期間であり、定着熱ローラ２１０の温度が待機温度まで下がっていない場合においても、定着熱ローラ２１０の温度を徐々に上昇させることができ、オーバーシュートを防ぐことができる。
【００３７】
図６は、図３に示す制御部１１による定着熱ローラ２１０の温度制御処理の一例を説明するためのタイムチャートである。
【００３８】
画像形成処理中は、メインヒータ２２０及びサブヒータ２２１はオンの状態であり、定着熱ローラ２１０の温度は定着温度Ｔ１で維持される。ｔ１の時点で画像形成処理が終了すると、定着熱ローラ２１０の温度を待機温度Ｔ２に下げるためにＣＰＵ１２によりメインヒータ２２０及びサブヒータ２２１がオフされる。
【００３９】
ｔ２の時点で定着熱ローラ２１０の表面温度が待機温度Ｔ２以下になると、ＣＰＵ１２によりメインヒータ２２０及びサブヒータ２２１はオンされ、同時にメモリ１３にヒータ点灯フラグがセットされる。また、定着熱ローラ２１０の表面温度が待機温度Ｔ２以上になった場合はＣＰＵ１２によりメインヒータ２２０及びサブヒータ２２１がオフされる。このように、待機モード中において定着熱ローラ２１０の表面温度に応じてメインヒータ２２０及びサブヒータ２２１のオン・オフの切り替え制御をＣＰＵ１２により行うことにより定着熱ローラ２１０の温度を待機温度Ｔ２に保つことができる。
【００４０】
次に、ｔ３の時点でユーザが操作部４００を用いて画像形成処理の開始操作を行うことにより、ＣＰＵ１２が操作部４００から画像形成開始命令を受信すると、ＣＰＵ１２はメモリ１３においてヒータ点灯フラグがセットされていることを確認し、メインヒータ２２０及びサブヒータ２２１をオンする。
【００４１】
図７は、図３に示す制御部１１による定着熱ローラ２１０の温度制御処理の他の例を説明するためのタイムチャートである。
【００４２】
ｔ１１の時点で画像形成処理が終了し待機モードに移行すると、ＣＰＵ１２によりメインヒータ２２０及びサブヒータ２２１がオフされる。次に、ｔ１２の時点でＣＰＵ１２は操作部４００から画像形成開始命令を受け付け、メモリ１３においてヒータ点灯フラグがセットされているか否かを確認する。ここでは定着熱ローラ２１０の温度が待機温度Ｔ２に下がり、メインヒータ２２０及びサブヒータ２２１をオンする前に画像形成処理が開始されるので、メモリ１３においてヒータ点灯フラグはセットされていない。ＣＰＵ１２はメモリ１３においてヒータ点灯フラグがセットされていないことを確認し、メインヒータ２２０をオンする。そして、ＣＰＵ１２は、定着熱ローラ２１０の表面温度が定着温度Ｔ１まで上昇した時点ｔ１３でサブヒータ２２１をオンする。
【００４３】
ｔ１３時点以降は、定着熱ローラ２１０の表面温度が定着温度で維持されるように、メインヒータ２２０及びサブヒータ２２１のオン・オフの切り替え制御がＣＰＵ１２により行われる。なお、印刷用紙のサイズやその他の条件によりメインヒータ２２０及びサブヒータ２２１のオン・オフの切り替え頻度や、メインヒータ２２０及びサブヒータ２２１のオン・オフ状態を継続させる期間を種々変更可能である。
【００４４】
このように本実施形態によれば、ＣＰＵ１２は、待機モード中に操作部４００から画像形成開始命令を受け付けた場合、待機モード中にメインヒータ２２０及びサブヒータ２２１がオンしたことを示すヒータ点灯フラグがメモリ１３にセットされているか否かを判断し、ヒータ点灯フラグがセットされていると判断した場合はメインヒータ２２０をオンし、定着熱ローラ２１０の表面温度が定着温度Ｔ１まで上昇するまで、メインヒータ２２０をオンした状態及びサブヒータ２２１をオフした状態を維持するので、待機モードから画像形成処理へ移行する際に発生するオーバーシュートを防止することができる。一方、ＣＰＵ１２は、ヒータ点灯フラグがセットされていないと判断した場合は、メインヒータ２２０及びサブヒータ２２１を同時にオンするので、定着熱ローラ２１０の表面温度を定着温度Ｔ１まで短期間で上昇させることができる。
【００４５】
【発明の効果】
本発明によれば、画像形成処理が終了し次の画像形成処理が開始するまでの待機期間が短期間であり、前記定着熱ローラが待機温度まで下がっていない状態で次の画像形成処理が開始される場合は、定着熱ローラに設けられた複数のヒータにおける一部のヒータを点灯させることにより定着熱ローラの温度を徐々に上昇させることができ、オーバーシュートを防ぐことができる。
【図面の簡単な説明】
【図１】本発明の一実施の形態によるデジタル複合機の機械的構成を主に示す側面概略図である。
【図２】図１に示すデジタル複合機１における定着装置の構成を示す斜視図である。
【図３】図２に示す定着熱ローラの温度制御を行う制御部の構成を示すブロック図である。
【図４】図３に示す制御部による定着熱ローラの温度制御処理を説明するためのフローチャートである。
【図５】図３に示す制御部による定着熱ローラの温度制御処理を説明するためのフローチャートである。
【図６】図３に示す制御部による定着熱ローラの温度制御処理の一例を説明するためのタイムチャートである。
【図７】図３に示す制御部による定着熱ローラの温度制御処理の一例を説明するためのタイムチャートである。
【符号の説明】
１０  温度センサ
１１  制御部
１２  ＣＰＵ
１３  メモリ
１４  クロック生成部
２０８  定着圧ローラ
２１０  定着熱ローラ
２２０  メインヒータ
２２１  サブヒータ
【図１】
2004302264.tif 000003
【図２】
2004302264.tif 000004
【図３】
2004302264.tif 000005
【図４】
2004302264.tif 000006
【図５】
2004302264.tif 000007
【図６】
2004302264.tif 000008
【図７】
2004302264.tif 000009